(57)【特許請求の範囲】
【請求項１】
キャスター付きの寝台に横たわった被検者に対し、可搬式のパノラマＸ線撮影部の、Ｘ線発生部およびＸ線受像部が被検者頭頸部を挟んで対向し、その相対位置を維持しながら回動して被検者の頭頸部領域のパノラマＸ線撮影を行う、可搬型の横臥位式パノラマＸ線撮影装置において、
前記パノラマＸ線撮影部の搬送の構成が、ベースの上面に設けた複数の搬送用ハンドルと、ベースの下面に移動用のキャスターを設け、移動および、持ち運びを可能とし、且つ、前記ベースの上面の寝台側の前方に、パノラマＸ線撮影部と、キャスター付き寝台部の相互間にパノラマＸ線撮影部の基準位置に対して連結可能な連結部を有することを特長とする横臥位式パノラマＸ線撮影装置。
【請求項２】
前記パノラマＸ線撮影部の基準位置に連結可能な連結部を有するキャスター付き寝台部は、折りたたみ式で、その上部長手方向の一端にヘッドサポートが設けられていることを特長とする請求項１記載の横臥位式パノラマＸ線撮影装置。
【発明の詳細な説明】
【０００１】
【発明の属する技術分野】
本発明は、顎顔面領域のパノラマＸ線撮影に使用される歯科用パノラマＸ線撮影装置に関する。
【０００２】
さらに詳しくは、被検者を寝台等に横臥または仰臥させて撮影する、いわゆる横臥位型Ｘ線パノラマ装置に関する。
【０００３】
【従来の技術】
Ｘ線発生器と、このＸ線発生器に対し相対的に移動可能で且つ該Ｘ線発生器に向かい合うＸ線受像部と、両者の間に配置された頭部支持具とを備え、且つ、一端に該Ｘ線発生器、他端に該Ｘ線受像部を取り付けた、寝台に横臥した被検者の体軸に平行な軸を中心として回動可能なアームを有し、また更に制御装置を備え、この制御装置が該頭部支持具に対し相対的な該アームの回転運動及び移動運動を顎顔面領域を通るパノラマＸ線断層が撮影可能なように予め入力された軌道データーに基づき制御し、被検者の顎顔面領域を通るパノラマＸ線断層を撮影するための横臥位に対応した歯科用パノラマＸ線撮影装置は、日本国特許出願公開昭５６−１６５１３９号公報に記載されており、この公知の歯科用パノラマＸ線撮影装置では、回動するアームを保持する軸を水平に配し、頭部支持具を昇降及び水平方向に移動可能としている。
【０００４】
また、撮影場所まで搬送可能に構成されていることを特徴とする歯科用パノラマＸ線撮影装置は日本国実用新案登録第３００３３７３号に記載されており、この公知の歯科用パノラマＸ線撮影装置では、立位あるいは座位でパノラマＸ線撮影装置を分解可能に構成して移送を可能としている。
【０００５】
すなわち、日本国特許出願公開昭５６−１６５１３９号公報に記載された装置は被検者が診療所に出向くことを前提に横臥位でのパノラマＸ線撮影を行うものであり、また、日本国実用新案登録第３００３３７３号に記載された装置は立位あるいは座位での撮影を前提に診療施設外でのパノラマＸ線撮影を行うものであり、これらの公知の技術に基づいて製作されたいずれの装置も、体力の衰えなどにより立位あるいは座位の姿勢を維持することが不可能で、且つ診療所にも出向けない被検者のパノラマＸ線撮影を行うことはできなかった。
【０００６】
特に近年注目されている事故現場等における個体識別のためのＸ線撮影も、現在口内法によるデンタル撮影しか行えず、より効果的なパノラマ撮影への期待が大きくなっている現状である。
【０００７】
それに対して、従来の横臥位に対応した歯科用パノラマＸ線撮影装置は外形寸法も大きく、またその重量も重く、これを移送可能なまでに分解して移送可能とすれば、体力の衰えなどにより立位あるいは座位の姿勢を維持することが不可能で、且つ診療所にも出向けない被検者のパノラマＸ線撮影を行うことは可能ではあるが、その組立調整には熟練を要し、時間もかかるので、とても一般に供する可搬式の横臥位に対応した装置とはいえない。
【０００８】
【発明が解決しようとする課題】
本発明は以上の状況に鑑みなされたもので、その解決しようとする課題は、体力の衰えなどにより立位あるいは座位の姿勢を維持することが不可能で、且つ診療所にも出向けない被検者のパノラマＸ線撮影を行える装置がないので、そのような被検者にパノラマＸ線撮影の恩恵が及ばないという問題および法医学上の個体識別により効果的なパノラマ撮影を利用できないという問題に、診療施設外でのパノラマＸ線撮影に対応できるような、軽量で、小型で、かつ、廉価なＸ線撮影装置を提供して解決することである。
【０００９】
それにより、昨今要求されている在宅診療や、事故現場での個体識別作業など、Ｘ線施設のない現場でのパノラマＸ線撮影に対応でき、且つ撮影の対象を選ばないような、軽量で、小型で、かつ、廉価なＸ線撮影装置を提供することを目的とする。
【００１０】
【課題を解決しようとする手段】
本装置は、本発明に基づいて課題を解決するにあたり、横臥位での撮影に対応するために対向するＸ線発生器とＸ線受像部を架設した回動するアームを保持する水平軸を回転部内で昇降可能とした横臥位に対応できるパノラマＸ線撮影部、頭部支持具及びストレッチャーで装置を構成し、移送可能なまでに軽量化したうえ、移送に対応した手段を備えることで課題を解決し得るパノラマＸ線撮影装置を提供する。
【００１１】
すなわち、従来８０〜９０ｋＶの管電圧が必要とされていたＸ線発生器はその重量が約２０ｋｇと重く、装置全体の重量はＸ線発生器の重量に比例して重くなることが避けられなかった。
【００１２】
そこで、Ｘ線発生器に用いる電圧の昇圧の方式を高周波インバーター化しさらにＸ線フィルムと増感紙の組み合わせ研究実験を繰り返し行った結果管電圧を７０ｋＶまで下げても生体の撮影に支障をきたさないことが判明し、また、撮影が横臥位であることの特異性から、撮影デューティーサイクルを検討した結果、約５分間隔の撮影で十分に対応可能であったので、小型軽量化についても大幅な改善が可能となり、その結果、Ｘ線発生器の重量が約４ｋｇと従来比約１／５との成果を得た。
【００１３】
こうして開発したＸ線発生器を用いることにより、パノラマＸ線撮影装置全体を小型軽量化することが可能となり、さらに、該装置に搬送に用いるハンドルと移動用のキャスターを取り付けて可搬式とすることに成功した。
【００１４】
【発明の実施の形態】
本発明は、パノラマＸ線撮影装置全体を可搬式とする目的でなされたものであり、その前提となる基本課題として掲げたＸ線発生器の高性能、小型軽量化は管電圧７０ｋＶ、重量４ｋｇとすることで達成、その結果パノラマＸ線撮影部の形状寸法を横巾８００ｍｍ、奥行き８００ｍｍ、高さ１２００ｍｍ、重量８０ｋｇ（従来当社比３６％）とし、搬送用ハンドルおよび移動用キャスターの取り付けを実現した。
【００１５】
パノラマＸ線撮影装置の搬送形態は、パノラマＸ線撮影部と寝台部の両方の搬送か、または、パノラマＸ線撮影部のみの搬送かに分けられる。
【００１６】
これは客先の要望に従って組み合わせが可能で、寝台部を組み合わせる場合においても、ヘッドサポートをパノラマＸ線撮影部に設ける場合と、寝台側に設ける場合とが発生する。
【００１７】
具体的な搬送に際しては、距離の短い屋内や平坦地はパノラマＸ線撮影部に取り付けたキャスターにより移動し、車両への積み降ろしやキャスターによる移動が不可能な場合は複数の人数で搬送用ハンドルを用いて持ち運ぶ。
【００１８】
使用にあたっては、まずパノラマＸ線撮影部を平坦な場所にブレーキをロックして固定し、その後寝台部をパノラマＸ線撮影部の基準位置に合わせ連結する。
【００１９】
この際、被検者の寝台部への載置はパノラマＸ線撮影部と寝台部の連結の前後いずれでもよく、正確な位置づけはその両方が終了した後に、パノラマＸ線撮影部に設けられたガイドビームを用いて行われる。
【００２０】
また、フィルムを使用して撮影した後に該フィルムの現像を行う設備のないような場所での使用にあたり、例えばＸ線受像部にＣＣＤセンサーを使うなど、フィルムを用いずにコンピューターで映像を処理するようにすることも差し支えないことは言うまでもない。
【００２１】
本発明によるパノラマＸ線撮影装置は以上に述べたように構成されるので、昨今より要求されている在宅診療や、事故現場での個体識別作業など、Ｘ線施設のない現場でのパノラマＸ線撮影に対応でき、且つ撮影の対象を選ばないような、軽量で、小型で、かつ、廉価なパノラマＸ線撮影を行う装置を提供することができる。
【００２２】
【実施例】
実施例について図面を参照して説明すると、図１において、パノラマＸ線撮影部はベース（１）の下面にキャスター（２）をその上面に複数の搬送用ハンドル（３）および匡体部Ｘ（４）と匡体部Ｘ上に被検者の体軸方向に床面に平行に移動可能に支持され、パノラマＸ線撮影装置の位置付け高さを調整する機構を内蔵した匡体部Ｈ（５）と、匡体部Ｈ（５）の前面に軸を中心として回動可能なアームを介してＸ線発生器（６）および、それに向き合うＸ線受像部（７）、上方にパノラマＸ線撮影装置の操作を行う操作パネル（８）、側面に被検者の位置付けに用いるガイドビーム（９）と、該ベースの寝台側の前方に寝台との連接部（１０）と、支柱（１１）に係合するように、パノラマＸ線撮影部あるいは、寝台部に設けられたヘッドサポート（１２）とで構成される。
【００２３】
一方、実施例の寝台部（１３）は折りたたみ式の例で、使用に際しては図示の状態にして、前記連接部（１０）と、支柱（１１）に係合するように、パノラマＸ線撮影部の基準位置に連結配置される。  
【００２４】
被検者の寝台部への載置はパノラマＸ線撮影部と寝台部の連結の前後いずれでもよく、正確な位置づけをその両方が終了した後に、パノラマＸ線撮影部に設けられたガイドビームを用いて行い、撮影を開始すれば、アームの一端に取り付けられたＸ線発生装置と該アームの他端に取り付けられたＸ線受像部が予め装置に内蔵されたコンピューターに登録された軌道データに従って、図２において示すように、被検者の頭部を中心に回動し、パノラマＸ線撮影を行う。
【００２５】
【発明の効果】
本発明は以上に述べたように実施され、以下に示す効果を奏する。
【００２６】
パノラマＸ線撮影装置の適切な検討を行って大幅な小型化、軽量化を図った結果、比較的距離の短い屋内あるいは平坦部はキャスターによる移動も可能としたことに併せ、比較的遠い場所あるいは凹凸のある場所へ車両を用いて移動するために該車両に積み降ろしする際は搬送用ハンドルを利用して複数の人員で容易に行うことを可能とした。
【００２７】
また、車両はワンボックスタイプの軽自動車でも十分積み込み可能な形状寸法と重量であるため、パノラマＸ線撮影装置の移動および持ち運びを容易に行うことが可能となった。
【図面の簡単な説明】
【図１】パノラマＸ線撮影装置の外観図の一例である。
【符号の説明】
１  ベース
２  キャスター
３  搬送用ハンドル
４  匡体部Ｘ
５  匡体部Ｈ
６  Ｘ線発生器
７  Ｘ線受像部
８  操作パネル
９  ガイドビーム
１０  連結部
１１  支柱
１２  ヘッドサポート
１３  寝台部
【図１】
0004186014.tif 000002